(57)【特許請求の範囲】
【請求項１】
ボディーを含み、
前記ボディーの中にはシール空間が設置され、前記シール空間の下側には輸送装置が設置され、前記輸送装置には塗料桶が置かれ、前記塗料桶の中には収容空間が設置され、前記塗料桶の上端面には環状の桶口が固定的に設置され、
前記シール空間の上側には巻き装置が設置され、前記巻き装置がシール用薄膜を含み、前記巻き装置の右側にはヒートシール装置が設置され、前記ヒートシール装置は前記シール用薄膜と前記桶口とをヒートシールし、これにより前記収容空間を密封し、
前記ヒートシール装置の右側には巻き取り装置が設置され、前記巻き取り装置が廃棄の前記シール用薄膜を収集し、前記巻き取り装置と、前記ヒートシール装置と、前記輸送装置とが伝動できるように連結され、
前記巻き取り装置の右側には桶蓋装置が設置され、前記桶蓋装置が密封蓋を含み、前記桶蓋装置の右側には蓋閉じ装置が設置され、前記蓋閉じ装置が作動することで前記密封蓋と前記桶口とを連結し、これにより前記塗料桶の口を密封でき、
前記輸送装置は輸送空間を含み、
前記輸送空間の中には左右対称の輸送回転軸が回転できるように設置され、前記輸送回転軸には輸送回転輪が固定的に設置され、前記輸送回転輪の間が輸送ベルトにより伝動できるように連結され、前記塗料桶が前記輸送ベルトに置かれ、
前記輸送空間の後側にはベルト空間が連通するように設置され、左側の前記輸送回転軸の後端と前記ベルト空間の後端壁とが回転できるように連結されており、
前記巻き装置は巻き空間を含み、
前記巻き空間の中には巻き軸が回転できるように設置され、前記巻き軸にはリールが固定的に設置され、前記巻き軸の下側にはテンション軸が回転できるように設置され、前記テンション軸にはテンション輪が固定的に設置され、
前記シール用薄膜が前記リールと前記テンション輪とに巻きついた後に前記巻き取り装置と連結されており、
前記ヒートシール装置は連結空間を含み、
前記連結空間は前記巻き空間と前記シール空間と連通し、前記連結空間の上側には昇降空間が連通するように設置され、前記昇降ブロックの中には昇降板がスライドできるように設置され、前記昇降板の下端面には連結ブロックが固定的に設置され、前記連結ブロックには圧力ばねが外装され、前記連結ブロックの外周には環状のバイトが設置され、前記バイトが前記昇降板の下端面に固定的に設置され、前記バイトの外側のうち前記昇降板の下端面に位置しているところには左右対称の連結ばねが固定的に設置され、前記連結ばねの下端には環状ブロックが固定的に設置され、前記環状ブロックの右端面には電気接続ブロックが固定的に設置され、前記環状ブロックの中には左右対称の開き溝が形成され、前記開き溝の中には回転輪軸が回転できるように設置され、前記回転輪軸には回転輪が固定的に設置され、
前記環状ブロックの中には押しブロックがスライドできるように設置され、前記押しブロックの中には圧縮溝が形成され、前記連結ブロックの下端が前記圧縮溝の中に伸び、前記圧力ばねの下端と前記圧縮溝の下端壁とが固定的に連結され、前記押しブロックの下端面の中には電気接続板が装着され、前記電気接続板と前記電気接続ブロックとが通電できるように連結され、前記電気接続板の下端には環状のヒートシールブロックが通電できるように装着され、
前記昇降空間の上側には昇降装置が設置され、前記昇降板と前記昇降装置とが伝動できるように連結されており、
前記昇降空間の右端壁には通電ブロックが固定的に設置され、前記通電ブロックと外部の商用電源とが通電できるように連結され、前記通電ブロックと前記電気接続ブロックとが接触した時に前記電気接続ブロックが通電でき、
前記昇降装置は昇降空間を含み、
前記昇降空間の上端壁には動力モータが固定的に設置され、前記動力モータの下端にはネジ山軸が伝動できるように装着され、前記ネジ山軸には昇降ロッドがネジ山により連結され、前記昇降ロッドの下端と前記昇降板とが固定的に連結され、
前記昇降空間の右端壁の中にはラチェットギヤ空間が連通するように設置され、前記ラチェットギヤ空間の中には外回転輪が回転できるように設置され、前記外回転輪と前記昇降ロッドとが噛み合うように連結され、前記外回転輪の中には内ラチェットギヤが片方向だけ噛み合うように連結され、前記内ラチェットギヤの中心部にはラチェットギヤ回転軸が固定的に設置され、前記ラチェットギヤ回転軸の後端と前記ベルト空間の後端壁とが回転できるように連結されており、
前記巻き取り装置は巻き取り空間を含み、
前記巻き取り空間の中には巻き取り回転軸が回転できるように設置され、前記巻き取り回転軸には巻き取り輪が固定的に設置され、前記シール用薄膜の右端が前記巻き取り輪に巻きついており、前記巻き取り空間の後側には片方向回転空間が連通するように設置され、前記巻き取り回転軸の後端が前記片方向回転空間を貫通し、且つ前記ベルト空間の後端壁と回転できるように連結され、前記ベルト空間の中の前記巻き取り回転軸と、前記ラチェットギヤ回転軸と、前記輸送回転軸とがベルトにより伝動できるように連結され、
前記片方向回転空間の中にある前記巻き取り回転軸には片方向回転輪が固定的に設置され、前記片方向回転空間の左端壁の中には収容溝が連通するように形成され、前記収容溝の中には引っ掛かりブロックが回転できるように設置され、前記引っ掛かりブロックの上端面と前記収容溝との間には捻りばねが固定的に設置されており、
前記桶蓋装置は置き空間を含み、
前記密封蓋が前記置き空間の中に斜めに置かれ、且つ下側の前記密封蓋の右端が前記シール空間の中に位置しており、
前記置き空間の左端壁の中には第一回転溝が連通するように形成され、前記第一回転溝の中には支持ロッドが回転できるように設置され、前記支持ロッドと前記密封蓋の下端面とが当接し、前記支持ロッドの下端面と前記第一回転溝の間には第一復帰ばねが固定的に設置され、
前記置き空間の右端壁の中には第二回転溝が連通するように形成され、前記第二回転溝の中には回転ロッドが回転できるように設置され、前記回転ロッドの右端面と前記第二回転溝との間には第二復帰ばねが固定的に設置され、前記回転ロッドの下側には阻みロッドが設置され、前記阻みロッドの中には伸縮溝が形成され、前記回転ロッドの下端が前記伸縮溝の中に伸び、且つ前記回転ロッドの下端には伸縮ばねが固定的に設置され、前記伸縮ばねの下端と前記伸縮溝の下端壁とが固定的に連結されていることを特徴とする塗料の包装に対する密封装置。
【請求項２】
前記蓋閉じ装置は蓋閉じ空間を含み、
前記蓋閉じ空間の内端壁には二つの軌跡ブロックが固定的に設置され、前記軌跡ブロックが交差に設置され、前記蓋閉じ空間の中には前後対称のスライドブロックがスライドできるように設置され、前記スライドブロックの中には押し溝が形成され、前記押し溝の中にはスライドロッドが設置され、前記スライドロッドのうち対称中心から離れた一端と前記押し溝との間には押しばねが固定的に設置され、前記スライドロッドのうち対称中心に近接した一端には挟みブロックが固定的に設置され、前記挟みブロックのうち対称中心に近接した一端には滑り止めマットが固定的に設置され、
前記スライドブロックの上端面の間には連結板が固定的に設置され、前記連結板の上端面には回転軸が固定的に設置され、前記蓋閉じ空間の上端面には回転モータが装着され、前記回転軸の上端が前記回転モータに伝動できるように連結されていることを特徴とする請求項１に記載の塗料の包装に対する密封装置。
【発明の詳細な説明】
【技術分野】
【０００１】
本願発明は塗料の包装技術分野を取り上げて、具体的には塗料の包装に対する密封装置である。
【背景技術】
【０００２】
従来の塗料はプラスチック製の桶やブリキ缶、アルミ缶、ビニール袋などで包装され、桶詰めの塗料に対して、一般的には塗料を直接に桶の中に詰め、密封性が弱く、塗料が桶の外にこぼれやすく、あるいは塗料をビニール袋の中に詰め、そしてビニール袋を桶の中に置いて包装を行い、このような方式で、桶の中のビニール袋を人力で結んで密封し、安定性が悪く、解けやすいため、塗料が外に溢れる恐れがあり、また、人力で操作すると時間がかかり、効率が低く、人力で口を閉じた後に、そして機械で蓋と桶とを密封するように連結し、この過程において口を閉じる作業の不連続性をもたらし、作業の効率を下げる。本願発明は上記の問題を解決できる装置である。
【先行技術文献】
【特許文献】
【０００３】
【特許文献１】中国特許出願公開第１０１１９８５２９号明細書
【発明の概要】
【発明が解決しようとする課題】
【０００４】
技術問題：
従来の塗料の包装は密封性が弱く、内部の塗料が外に漏れやすく、また密封作業の効率が低い。
【課題を解決するための手段】
【０００５】
上記の問題を解決するために、本例は塗料の包装に対する密封装置を設計し、本願発明の塗料の包装に対する密封装置は、ボディーを含み、前記ボディーの中にはシール空間が設置され、前記シール空間の下側には輸送装置が設置され、前記輸送装置には塗料桶が置かれ、前記塗料桶の中には収容空間が設置され、前記塗料桶の上端面には環状の桶口が固定的に設置され、前記シール空間の上側には巻き装置が設置され、前記巻き装置がシール用薄膜を含み、前記巻き装置の右側にはヒートシール装置が設置され、前記ヒートシール装置は前記シール用薄膜と前記桶口とをヒートシールし、これにより前記収容空間を密封し、前記ヒートシール装置の右側には巻き取り装置が設置され、前記巻き取り装置が廃棄の前記シール用薄膜を収集し、前記巻き取り装置と、前記ヒートシール装置と、前記輸送装置とが伝動できるように連結され、前記巻き取り装置の右側には桶蓋装置が設置され、前記桶蓋装置が密封蓋を含み、前記桶蓋装置の右側には蓋閉じ装置が設置され、前記蓋閉じ装置が作動することで前記密封蓋と前記桶口とを連結し、これにより前記塗料桶の口を密封できる。
【０００６】
好ましくは、前記輸送装置は輸送空間を含み、前記輸送空間の中には左右対称の輸送回転軸が回転できるように設置され、前記輸送回転軸には輸送回転輪が固定的に設置され、前記輸送回転輪の間が輸送ベルトにより伝動できるように連結され、前記塗料桶が前記輸送ベルトに置かれ、前記輸送空間の後側にはベルト空間が連通するように設置され、左側の前記輸送回転軸の後端と前記ベルト空間の後端壁とが回転できるように連結され、これにより前記輸送ベルトが回転する時、前記塗料桶を連動させて左方から右方へ移動させることで密封操作を行うことができる。
【０００７】
好ましくは、前記巻き装置は巻き空間を含み、前記巻き空間の中には巻き軸が回転できるように設置され、前記巻き軸にはリールが固定的に設置され、前記巻き軸の下側にはテンション軸が回転できるように設置され、前記テンション軸にはテンション輪が固定的に設置され、前記シール用薄膜が前記リールと前記テンション輪とに巻きついた後に前記巻き取り装置と連結され、これにより前記シール用薄膜を張らせる。
【０００８】
好ましくは、前記ヒートシール装置は連結空間を含み、前記連結空間は前記巻き空間と前記シール空間と連通し、前記連結空間の上側には昇降空間が連通するように設置され、前記昇降空間の右端壁には通電ブロックが固定的に設置され、前記通電ブロックと外部の商用電源とが通電できるように連結され、前記昇降ブロックの中には昇降板がスライドできるように設置され、前記昇降板の下端面には連結ブロックが固定的に設置され、前記連結ブロックには圧力ばねが外装され、前記連結ブロックの外周には環状のバイトが設置され、前記バイトが前記昇降板の下端面に固定的に設置され、前記バイトの外側のうち前記昇降板の下端面に位置しているところには左右対称の連結ばねが固定的に設置され、前記連結ばねの下端には環状ブロックが固定的に設置され、前記環状ブロックの右端面には電気接続ブロックが固定的に設置され、前記環状ブロックの中には左右対称の開き溝が形成され、前記開き溝の中には回転輪軸が回転できるように設置され、前記回転輪軸には回転輪が固定的に設置され、前記環状ブロックの中には押しブロックがスライドできるように設置され、前記押しブロックの中には圧縮溝が形成され、前記連結ブロックの下端が前記圧縮溝の中に伸び、前記圧力ばねの下端と前記圧縮溝の下端壁とが固定的に連結され、前記押しブロックの下端面の中には電気接続板が装着され、前記電気接続板と前記電気接続ブロックとが通電できるように連結され、前記電気接続板の下端には環状のヒートシールブロックが通電できるように装着され、前記昇降空間の上側には昇降装置が設置され、前記昇降板と前記昇降装置とが伝動できるように連結され、これにより前記昇降板が下降する時、前記ヒートシールブロックと前記桶口とを当接させ、この時に前記電気接続ブロックと前記通電ブロックとが通電できるように連結され、これにより前記ヒートシールブロックが前記シール用薄膜により前記桶口をヒートシールし、前記昇降板が下降し続ける時、前記バイトにより前記シール用薄膜を切って円型の穴を形成させる。
【０００９】
好ましくは、前記昇降装置は昇降空間を含み、前記昇降空間の上端壁には動力モータが固定的に設置され、前記動力モータの下端にはネジ山軸が伝動できるように装着され、前記ネジ山軸には昇降ロッドがネジ山により連結され、前記昇降ロッドの下端と前記昇降板とが固定的に連結され、前記昇降空間の右端壁の中にはラチェットギヤ空間が連通するように設置され、前記ラチェットギヤ空間の中には外回転輪が回転できるように設置され、前記外回転輪と前記昇降ロッドとが噛み合うように連結され、前記外回転輪の中には内ラチェットギヤが片方向だけ噛み合うように連結され、前記内ラチェットギヤの中心部にはラチェットギヤ回転軸が固定的に設置され、前記ラチェットギヤ回転軸の後端と前記ベルト空間の後端壁とが回転できるように連結され、これにより前記昇降ロッドが上昇することで前記ラチェットギヤ回転軸を回転連動させることができる。
【００１０】
好ましくは、前記巻き取り装置は巻き取り空間を含み、前記巻き取り空間の中には巻き取り回転軸が回転できるように設置され、前記巻き取り回転軸には巻き取り輪が固定的に設置され、前記シール用薄膜の右端が前記巻き取り輪に巻きついており、前記巻き取り空間の後側には片方向回転空間が連通するように設置され、前記巻き取り回転軸の後端が前記片方向回転空間を貫通し、且つ前記ベルト空間の後端壁と回転できるように連結され、前記ベルト空間の中の前記巻き取り回転軸と、前記ラチェットギヤ回転軸と、前記輸送回転軸とがベルトにより伝動できるように連結され、前記片方向回転空間の中にある前記巻き取り回転軸には片方向回転輪が固定的に設置され、前記片方向回転空間の左端壁の中には収容溝が連通するように形成され、前記収容溝の中には引っ掛かりブロックが回転できるように設置され、前記引っ掛かりブロックの上端面と前記収容溝との間には捻りばねが固定的に設置され、これにより前記ヒートシール装置が作動することで前記巻き取り装置を作動連動させられ、これにより前記巻き取り輪を片方向へ反時計回りに回転させて廃棄の前記シール用薄膜を回収する。
【００１１】
好ましくは、前記桶蓋装置は置き空間を含み、前記密封蓋が前記置き空間の中に斜めに置かれ、且つ下側の前記密封蓋の右端が前記シール空間の中に位置しており、前記置き空間の左端壁の中には第一回転溝が連通するように形成され、前記第一回転溝の中には支持ロッドが回転できるように設置され、前記支持ロッドと前記密封蓋の下端面とが当接し、前記支持ロッドの下端面と前記第一回転溝の間には第一復帰ばねが固定的に設置され、前記置き空間の右端壁の中には第二回転溝が連通するように形成され、前記第二回転溝の中には回転ロッドが回転できるように設置され、前記回転ロッドの右端面と前記第二回転溝との間には第二復帰ばねが固定的に設置され、前記回転ロッドの下側には阻みロッドが設置され、前記阻みロッドの中には伸縮溝が形成され、前記回転ロッドの下端が前記伸縮溝の中に伸び、且つ前記回転ロッドの下端には伸縮ばねが固定的に設置され、前記伸縮ばねの下端と前記伸縮溝の下端壁とが固定的に連結され、これにより前記塗料桶と前記密封蓋とが当接する時、前記塗料桶が右方へ移動し、これにより下側の前記密封蓋が前記塗料桶とともに移動し、且つ前記密封蓋が前記置き空間から離脱し、次の前記密封蓋が前記支持ロッドと前記阻みロッドとに阻まれて前記置き空間の中に位置し、次の前記塗料桶を待っている。
【００１２】
好ましくは、前記蓋閉じ装置は蓋閉じ空間を含み、前記蓋閉じ空間の内端壁には二つの軌跡ブロックが固定的に設置され、前記軌跡ブロックが交差に設置され、前記蓋閉じ空間の中には前後対称のスライドブロックがスライドできるように設置され、前記スライドブロックの中には押し溝が形成され、前記押し溝の中にはスライドロッドが設置され、前記スライドロッドのうち対称中心から離れた一端と前記押し溝との間には押しばねが固定的に設置され、前記スライドロッドのうち対称中心に近接した一端には挟みブロックが固定的に設置され、前記挟みブロックのうち対称中心に近接した一端には滑り止めマットが固定的に設置され、前記スライドブロックの上端面の間には連結板が固定的に設置され、前記連結板の上端面には回転軸が固定的に設置され、前記蓋閉じ空間の上端面には回転モータが装着され、前記回転軸の上端が前記回転モータに伝動できるように連結され、これにより前記回転モータが作動して前記スライドブロックを回転連動させ、前記軌跡ブロックの作用のもとで、前記スライドブロックが回転して対向して移動し、これにより前記密封蓋と前記桶口とを密封させる。
【発明の効果】
【００１３】
本願発明の有益効果は：本願発明はヒートシールの操作を通じてシール用薄膜で桶の口を密封し、そしてシール蓋を塗料桶と回転できるように装着し、これにより塗料桶の中に置かれた塗料の収容空間を密封し、二重シール操作で塗料桶の密封性を強め、また、二重シール操作が連続的に行われ、塗料桶のシール作業の効率を向上させる。
【図面の簡単な説明】
【００１４】
下記に図１〜７をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本願発明の塗料の包装に対する密封装置の全体構成模式図
【図２】図２は図１の「Ａ」の拡大構成模式図
【図３】図３は図２の「Ｂ―Ｂ」方向からの構成模式図
【図４】図４は図３の「Ｃ―Ｃ」方向からの構成模式図
【図５】図５は図１の「Ｄ」の拡大構成模式図
【図６】図６は図１の「Ｅ」の拡大構成模式図
【図７】図７は図１の「Ｆ―Ｆ」方向からの構成模式図
【発明を実施するための形態】
【００１６】
本願発明は塗料の包装に対する密封装置に関して、主に塗料の包装作業に応用され、以下に本願発明の付図を交えて本願発明について更なる説明を行う。
【００１７】
本願発明の塗料の包装に対する密封装置は、ボディー１０を含み、前記ボディー１０の中にはシール空間１５が設置され、前記シール空間１５の下側には輸送装置６０１が設置され、前記輸送装置６０１には塗料桶１６が置かれ、前記塗料桶１６の中には収容空間１７が設置され、前記塗料桶１６の上端面には環状の桶口１８が固定的に設置され、前記シール空間１５の上側には巻き装置６０２が設置され、前記巻き装置６０２がシール用薄膜２４を含み、前記巻き装置６０２の右側にはヒートシール装置６０３が設置され、前記ヒートシール装置６０３は前記シール用薄膜２４と前記桶口１８とをヒートシールし、これにより前記収容空間１７を密封し、前記ヒートシール装置６０３の右側には巻き取り装置６０４が設置され、前記巻き取り装置６０４が廃棄の前記シール用薄膜２４を収集し、前記巻き取り装置６０４と、前記ヒートシール装置６０３と、前記輸送装置６０１とが伝動できるように連結され、前記巻き取り装置６０４の右側には桶蓋装置６０５が設置され、前記桶蓋装置６０５が密封蓋６０を含み、前記桶蓋装置６０５の右側には蓋閉じ装置６０６が設置され、前記蓋閉じ装置６０６が作動することで前記密封蓋６０と前記桶口１８とを連結し、これにより前記塗料桶１６の口を密封できる。
【００１８】
有益的には、前記輸送装置６０１は輸送空間１１を含み、前記輸送空間１１の中には左右対称の輸送回転軸１２が回転できるように設置され、前記輸送回転軸１２には輸送回転輪１３が固定的に設置され、前記輸送回転輪１３の間が輸送ベルト１４により伝動できるように連結され、前記塗料桶１６が前記輸送ベルト１４に置かれ、前記輸送空間１１の後側にはベルト空間５８が連通するように設置され、左側の前記輸送回転軸１２の後端と前記ベルト空間５８の後端壁とが回転できるように連結され、これにより前記輸送ベルト１４が回転する時、前記塗料桶１６を連動させて左方から右方へ移動させることで密封操作を行うことができる。
【００１９】
有益的には、前記巻き装置６０２は巻き空間１９を含み、前記巻き空間１９の中には巻き軸２０が回転できるように設置され、前記巻き軸２０にはリール２１が固定的に設置され、前記巻き軸２０の下側にはテンション軸２２が回転できるように設置され、前記テンション軸２２にはテンション輪２３が固定的に設置され、前記シール用薄膜２４が前記リールと前記テンション輪２３とに巻きついた後に前記巻き取り装置６０４と連結され、これにより前記シール用薄膜２４を張らせる。
【００２０】
有益的には、前記ヒートシール装置６０３は連結空間２５を含み、前記連結空間２５は前記巻き空間１９と前記シール空間１５と連通し、前記連結空間２５の上側には昇降空間２６が連通するように設置され、前記昇降空間２６の右端壁には通電ブロック４０が固定的に設置され、前記通電ブロック４０と外部の商用電源とが通電できるように連結され、前記昇降ブロック２６の中には昇降板２７がスライドできるように設置され、前記昇降板２７の下端面には連結ブロック３０が固定的に設置され、前記連結ブロック３０には圧力ばね３２が外装され、前記連結ブロック３０の外周には環状のバイト２８が設置され、前記バイト２８が前記昇降板２７の下端面に固定的に設置され、前記バイト２８の外側のうち前記昇降板２７の下端面に位置しているところには左右対称の連結ばね９０が固定的に設置され、前記連結ばね９０の下端には環状ブロック９１が固定的に設置され、前記環状ブロック９１の右端面には電気接続ブロック３９が固定的に設置され、前記環状ブロック９１の中には左右対称の開き溝３４が形成され、前記開き溝３４の中には回転輪軸３５が回転できるように設置され、前記回転輪軸３５には回転輪３６が固定的に設置され、前記環状ブロック９１の中には押しブロック２９がスライドできるように設置され、前記押しブロック２９の中には圧縮溝３１が形成され、前記連結ブロック３０の下端が前記圧縮溝３１の中に伸び、前記圧力ばね３２の下端と前記圧縮溝３１の下端壁とが固定的に連結され、前記押しブロック２９の下端面の中には電気接続板３７が装着され、前記電気接続板３７と前記電気接続ブロック３９とが通電できるように連結され、前記電気接続板３７の下端には環状のヒートシールブロック３８が通電できるように装着され、前記昇降空間２６の上側には昇降装置６０７が設置され、前記昇降板２７と前記昇降装置６０７とが伝動できるように連結され、これにより前記昇降板２７が下降する時、前記ヒートシールブロック３８と前記桶口１８とを当接させ、この時に前記電気接続ブロック３９と前記通電ブロック４０とが通電できるように連結され、これにより前記ヒートシールブロック３８が前記シール用薄膜２４により前記桶口１８をヒートシールし、前記昇降板２７が下降し続ける時、前記バイト２８により前記シール用薄膜２４を切って円型の穴を形成させる。
【００２１】
有益的には、前記昇降装置６０７は昇降空間４１を含み、前記昇降空間４１の上端壁には動力モータ４４が固定的に設置され、前記動力モータ４４の下端にはネジ山軸４２が伝動できるように装着され、前記ネジ山軸４２には昇降ロッド４３がネジ山により連結され、前記昇降ロッド４３の下端と前記昇降板２７とが固定的に連結され、前記昇降空間４１の右端壁の中にはラチェットギヤ空間４５が連通するように設置され、前記ラチェットギヤ空間４５の中には外回転輪４８が回転できるように設置され、前記外回転輪４８と前記昇降ロッド４３とが噛み合うように連結され、前記外回転輪４８の中には内ラチェットギヤ４７が片方向だけ噛み合うように連結され、前記内ラチェットギヤ４７の中心部にはラチェットギヤ回転軸４６が固定的に設置され、前記ラチェットギヤ回転軸４６の後端と前記ベルト空間５８の後端壁とが回転できるように連結され、これにより前記昇降ロッド４３が上昇することで前記ラチェットギヤ回転軸４６を回転連動させることができる。
【００２２】
有益的には、前記巻き取り装置６０４は巻き取り空間４９を含み、前記巻き取り空間４９の中には巻き取り回転軸５０が回転できるように設置され、前記巻き取り回転軸５０には巻き取り輪５１が固定的に設置され、前記シール用薄膜２４の右端が前記巻き取り輪５１に巻きついており、前記巻き取り空間４９の後側には片方向回転空間５２が連通するように設置され、前記巻き取り回転軸５０の後端が前記片方向回転空間５２を貫通し、且つ前記ベルト空間５８の後端壁と回転できるように連結され、前記ベルト空間５８の中の前記巻き取り回転軸５０と、前記ラチェットギヤ回転軸４６と、前記輸送回転軸１２とがベルト５７により伝動できるように連結され、前記片方向回転空間５２の中にある前記巻き取り回転軸５０には片方向回転輪５３が固定的に設置され、前記片方向回転空間５２の左端壁の中には収容溝５４が連通するように形成され、前記収容溝５４の中には引っ掛かりブロック５６が回転できるように設置され、前記引っ掛かりブロック５６の上端面と前記収容溝５４との間には捻りばね５５が固定的に設置され、これにより前記ヒートシール装置６０３が作動することで前記巻き取り装置６０４を作動連動させられ、これにより前記巻き取り輪５１を片方向へ反時計回りに回転させて廃棄の前記シール用薄膜２４を回収する。
【００２３】
有益的には、前記桶蓋装置６０５は置き空間５９を含み、前記密封蓋６０が前記置き空間５９の中に斜めに置かれ、且つ下側の前記密封蓋６０の右端が前記シール空間１５の中に位置しており、前記置き空間５９の左端壁の中には第一回転溝６１が連通するように形成され、前記第一回転溝６１の中には支持ロッド６３が回転できるように設置され、前記支持ロッド６３と前記密封蓋６０の下端面とが当接し、前記支持ロッド６３の下端面と前記第一回転溝６１の間には第一復帰ばね６２が固定的に設置され、前記置き空間５９の右端壁の中には第二回転溝６４が連通するように形成され、前記第二回転溝６４の中には回転ロッド６５が回転できるように設置され、前記回転ロッド６５の右端面と前記第二回転溝６４との間には第二復帰ばね９２が固定的に設置され、前記回転ロッド６５の下側には阻みロッド６６が設置され、前記阻みロッド６６の中には伸縮溝６７が形成され、前記回転ロッド６５の下端が前記伸縮溝６７の中に伸び、且つ前記回転ロッド６５の下端には伸縮ばね６８が固定的に設置され、前記伸縮ばね６８の下端と前記伸縮溝６７の下端壁とが固定的に連結され、これにより前記塗料桶１６と前記密封蓋６０とが当接する時、前記塗料桶１６が右方へ移動し、これにより下側の前記密封蓋６０が前記塗料桶１６とともに移動し、且つ前記密封蓋６０が前記置き空間５９から離脱し、次の前記密封蓋６０が前記支持ロッド６３と前記阻みロッド６６とに阻まれて前記置き空間５９の中に位置し、次の前記塗料桶１６を待っている。
【００２４】
有益的には、前記蓋閉じ装置６０６は蓋閉じ空間６９を含み、前記蓋閉じ空間６９の内端壁には二つの軌跡ブロック７０が固定的に設置され、前記軌跡ブロック７０が交差に設置され、前記蓋閉じ空間６９の中には前後対称のスライドブロック７１がスライドできるように設置され、前記スライドブロック７１の中には押し溝７５が形成され、前記押し溝７５の中にはスライドロッド７２が設置され、前記スライドロッド７２のうち対称中心から離れた一端と前記押し溝７５との間には押しばね７６が固定的に設置され、前記スライドロッド７２のうち対称中心に近接した一端には挟みブロック７３が固定的に設置され、前記挟みブロック７３のうち対称中心に近接した一端には滑り止めマット７４が固定的に設置され、前記スライドブロック７１の上端面の間には連結板７７が固定的に設置され、前記連結板７７の上端面には回転軸７８が固定的に設置され、前記蓋閉じ空間６９の上端面には回転モータ７９が装着され、前記回転軸７８の上端が前記回転モータ７９に伝動できるように連結され、これにより前記回転モータ７９が作動して前記スライドブロック７１を回転連動させ、前記軌跡ブロック７０の作用のもとで、前記スライドブロック７１が回転して対向して移動し、これにより前記密封蓋６０と前記桶口１８とを密封させる。
【００２５】
以下に図１〜７を交えて本文の塗料の包装に対する密封装置の使用ステップについて詳しく説明する。
【００２６】
初期状態において、塗料桶１６が連結空間２５の下側に位置し、桶口１８とヒートシールブロック３８とが位置合わせされている。
【００２７】
使用する時、動力モータ４４が作動し、ネジ山軸４２を回転連動させ、これにより昇降ロッド４３を下降させ、この時に、外回転輪４８は回転し、内ラチェットギヤ４７は回転しなく、昇降ロッド４３が下降することで昇降板２７を下降させ、押しブロック２９が下降してシール用薄膜２４の上下端面をそれぞれヒートシールブロック３８と桶口１８とを当接させ、この時に電気接続ブロック３９と通電ブロック４０とが当接して通電し、そして電気接続板３７が通電し、これによりヒートシールブロック３８が通電してシール用薄膜２４を加熱し、シール用薄膜２４により桶口１８を密封し、昇降板２７が下降し続け、これにより圧力ばね３２が収縮し、この時に押しブロック２９が動かなく、昇降板２７がバイト２８を下降連動させ、バイト２８と塗料桶１６の上端面とが当接した時にシール用薄膜２４を円型の形で切断し、そして動力モータ４４が逆回転し、これにより昇降ロッド４３が上昇し、昇降板２７がバイト２８とヒートシールブロック３８とを連動させて初期位置に上昇させ、昇降ロッド４３が上昇して外回転輪４８が回転し、内ラチェットギヤ４７を回転連動させ、ベルト５７により輸送回転軸１２を回転させ、これにより輸送ベルト１４が回転してシール空間１５を連動させて右方へ移動させ、次のシール空間１５が連結空間２５の下側に移動し、ベルト５７により巻き取り回転軸５０を回転させ、廃棄のシール用薄膜２４を巻き取り輪５１に収集し、塗料桶１６が右方へ移動する時、下側の密封蓋６０は駆動されて置き空間５９から離脱し、且つ桶口１８にカバーするように連結され、下側の密封蓋６０が離脱した後、上側の密封蓋６０が下降し、支持ロッド６３と阻みロッド６６とに阻まれて置き空間５９の中に位置し、次の塗料桶１６に駆動されて離脱することを待ち、塗料桶１６が密封蓋６０を連動させて蓋閉じ空間６９の下側に移動した時、動力モータ４４が再び作動し、ヒートシールブロック３８によりシール用薄膜２４と桶口１８とをヒートシールし、この時に輸送ベルト１４が回転しなく、回転モータ７９が作動し、連結板７７を回転連動させ、更にスライドブロック７１を回転連動させ、軌跡ブロック７０の作用のもとでスライドブロック７１が回転して対向して移動し、密封蓋６０をきつく挟んで桶口１８に回転できるように装着し、これにより塗料桶１６の口を閉じ、輸送ベルト１４の回転につれ、密封し終えた塗料桶１６が右方へ送られ、ヒートシールされた塗料桶１６の蓋を閉じ、新しい塗料桶１６をヒートシールし、これにより密封作業を連続的に行わせる。
【００２８】
本願発明の有益効果は：本願発明はヒートシールの操作を通じてシール用薄膜で桶の口を密封し、そしてシール蓋を塗料桶と回転できるように装着し、これにより塗料桶の中に置かれた塗料の収容空間を密封し、二重シール操作で塗料桶の密封性を強め、また、二重シール操作が連続的に行われ、塗料桶のシール作業の効率を向上させる。
【００２９】
以上の方式により、本分野の技術者が本願発明の範囲内に作動モードにより各種な変化をすることができる。
【要約】
【課題】本願発明は塗料の包装に対する密封装置を開示した。
【解決手段】
ボディーを含み、前記ボディーの中にはシール空間が設置され、前記シール空間の下側には輸送装置が設置され、前記輸送装置には塗料桶が置かれ、前記塗料桶の中には収容空間が設置され、前記塗料桶の上端面には環状の桶口が固定的に設置され、前記シール空間の上側には巻き装置が設置され、前記巻き装置がシール用薄膜を含み、本願発明はヒートシールの操作を通じてシール用薄膜で桶の口を密封し、そしてシール蓋を塗料桶と回転できるように装着し、これにより塗料桶の中に置かれた塗料の収容空間を密封し、二重シール操作で塗料桶の密封性を強め、また、二重シール操作が連続的に行われ、塗料桶のシール作業の効率を向上させる。
【選択図】図１【図１】
0006754065.tif 000002
【図２】
0006754065.tif 000003
【図３】
0006754065.tif 000004
【図４】
0006754065.tif 000005
【図５】
0006754065.tif 000006
【図６】
0006754065.tif 000007
【図７】
0006754065.tif 000008